(57)【要約】  眼鏡レンズの設計方法は、被験者の顔と表示装置との位置関係を維持しながら表示装置に画像を表示することと、画像を視認した被験者の印象に基づいて、被験者の視覚に関する感受性を評価した情報を取得することと、感受性を評価した情報に基づいて眼鏡レンズを設計することと、を備える。
2019009034.tif 000002
【特許請求の範囲】
【請求項１】
被験者の顔と表示装置との位置関係を維持しながら前記表示装置に画像を表示することと、
前記画像を視認した前記被験者の印象に基づいて、前記被験者の視覚に関する感受性を評価した情報を取得することと、
前記感受性を評価した情報に基づいて眼鏡レンズを設計することと、
を備える眼鏡レンズの設計方法。     
【請求項２】
請求項１に記載の眼鏡レンズの設計方法において、
前記表示装置は、前記被験者の眼の高さに基づいた位置に配置される眼鏡レンズの設計方法。
【請求項３】
請求項１または２に記載の眼鏡レンズの設計方法において、
前記画像の表示は、それぞれ異なるゆがみを備える複数の前記画像を表示し、
前記感受性の評価は、前記複数の画像を視認した前記被験者の印象に基づいて前記被験者のゆがみに対する前記感受性を評価する眼鏡レンズの設計方法。
【請求項４】
請求項３に記載の眼鏡レンズの設計方法において、
前記複数の画像は、前記ゆがみのゆがみ度合およびゆがみ方向のうち少なくとも一方が異なる眼鏡レンズの設計方法。
【請求項５】
請求項３または４に記載の眼鏡レンズの設計方法において、
前記画像のそれぞれは、１若しくは複数の部分的な領域、または全ての領域に前記ゆがみを有する眼鏡レンズの設計方法。
【請求項６】
請求項５に記載の眼鏡レンズの設計方法において、
前記画像は、前記複数の部分的な領域のそれぞれにおいて、前記ゆがみ度合および前記ゆがみ方向のうち少なくとも一方が異なる眼鏡レンズの設計方法。
【請求項７】
請求項５または６に記載の眼鏡レンズの設計方法において、
前記画像は、前記画像の中心より一方側の一部の領域と、前記画像の中心より前記一方側とは反対側の一部の領域とのそれぞれに前記ゆがみを有する眼鏡レンズの設計方法。
【請求項８】
請求項１または２に記載の眼鏡レンズの設計方法において、
前記画像の表示は、互いに異なる範囲のぼやけをそれぞれ備える複数の前記画像を表示し、
前記感受性の評価は、前記複数の画像を視認した前記被験者の印象に基づいて前記被験者のぼやけに対する感受性を評価する眼鏡レンズの設計方法。
【請求項９】
請求項８に記載の眼鏡レンズの設計方法において、
前記複数の画像において、前記ぼやけのぼやけ度合、および／または、前記ぼやけの領域がそれぞれ異なる眼鏡レンズの設計方法。
【請求項１０】
請求項８または９に記載の眼鏡レンズの設計方法において、
前記画像のそれぞれは、互いにぼやけ度合が異なる複数の領域、および／または、前記ぼやけ度合が連続的に変化する前記ぼやけ、を備える眼鏡レンズの設計方法。
【請求項１１】
請求項８から１０までのいずれか一項に記載の眼鏡レンズの設計方法において、
前記画像は、前記ぼやけの周辺に前記ぼやけ度合が段階的または連続的に変化する領域を有する眼鏡レンズの設計方法。
【請求項１２】
請求項８から１１までのいずれか一項に記載の眼鏡レンズの設計方法において、
前記画像の表示は、前記ぼやけ度合が相対的に大きい領域を、前記ぼやけ度合が相対的に小さいか、ぼやけていない領域よりも下方に配置するように表示し、
前記感受性の評価は、前記被験者が遠距離の対象物を見る際のぼやけに対する感受性を評価する眼鏡レンズの設計方法。
【請求項１３】
請求項８から１１までのいずれか一項に記載の眼鏡レンズの設計方法において、
前記画像の表示は、前記ぼやけ度合が相対的に大きい領域を、前記ぼやけ度合が相対的に小さいか、ぼやけていない領域よりも上方に配置するように表示し、
前記感受性の評価は、前記被験者が近距離の対象物を見る際のぼやけに対する感受性を評価する眼鏡レンズの設計方法。
【請求項１４】
請求項８から１１までのいずれか一項に記載の眼鏡レンズの設計方法において、
前記画像の表示は、前記ぼやけ度合が相対的に小さいか、ぼやけていない領域を、前記ぼやけ度合が相対的に大きい領域に囲まれるように表示し、
前記感受性の評価は、前記被験者が中間距離の対象物を見る際のぼやけに対する感受性を評価する眼鏡レンズの設計方法。
【請求項１５】
請求項１または２に記載の眼鏡レンズの設計方法において、
前記画像の表示は、前記被験者の視野の一部において位置が異なる複数の前記画像を切り替えて表示し、
前記感受性の評価は、前記画像を視認した前記被験者の印象に基づいて前記被験者の予め定められた距離における視線方向に対する感受性を評価する眼鏡レンズの設計方法。
【請求項１６】
請求項１５に記載の眼鏡レンズの設計方法において、
前記画像の表示は、それぞれ異なる高さに複数の前記画像を表示し、
前記感受性の評価は、前記画像を視認した前記被験者の印象に基づいて前記被験者の前記定められた距離における視線の高さに対する感受性を評価する眼鏡レンズの設計方法。
【請求項１７】
請求項１５または１６に記載の眼鏡レンズの設計方法において、
前記視野の一部は、累進屈折力レンズの遠用部、近用部、および遠用部と近用部との間の中間領域から選択されたいずれか一つの領域に対応する領域であり、
前記予め定められた距離は、前記選択されたいずれか一つの領域を通して見る距離である眼鏡レンズの設計方法。
【請求項１８】
請求項１５から１７までのいずれか一項に記載の眼鏡レンズの設計方法において、
前記画像の表示は、前記被験者の眼の高さと前記画像の位置との位置関係を調節するためのキャリブレーション画像を表示する眼鏡レンズの設計方法。
【請求項１９】
請求項１５から１８までのいずれか一項に記載の眼鏡レンズの設計方法において、
さらに、前記被験者と対象物とを含む位置関係画像を撮像することを含み、
前記画像の表示は、前記位置関係画像から求めた前記被験者と前記対象物との位置関係に基づいて設定した位置に、前記画像として前記対象物の画像を表示する眼鏡レンズの設計方法。
【請求項２０】
請求項１５から１９までのいずれか一項に記載の眼鏡レンズの設計方法において、
前記感受性の評価は、前記画像を視認した前記被験者の印象に基づいて前記被験者の近距離における視線方向に対する感受性を評価し、
前記画像は、少なくとも携帯電話、本、新聞のいずれかから選択される少なくとも一つの画像である眼鏡レンズの設計方法。
【請求項２１】
請求項１５から１９までのいずれか一項に記載の眼鏡レンズの設計方法において、
前記感受性の評価は、前記画像を視認した前記被験者の印象に基づいて前記被験者の中間距離における視線方向に対する感受性を評価し、
前記画像は、少なくともパソコン、タブレット端末、楽譜のいずれかから選択される少なくとも一つの画像である眼鏡レンズの設計方法。
【請求項２２】
請求項１から２１までのいずれか一項に記載の眼鏡レンズの設計方法において、
前記画像は、前記被験者の周囲の少なくとも一部を撮像した画像を加工した加工画像である眼鏡レンズの設計方法。
【請求項２３】
請求項１から２２までのいずれか一項に記載の眼鏡レンズの設計方法において、
前記画像は、仮想的な空間を示す画像を加工した加工画像である眼鏡レンズの設計方法。
【請求項２４】
請求項１から２３までのいずれか一項に記載の眼鏡レンズの設計方法において、
さらに、前記被験者の動きを検知する動作検知と、
検知した前記被験者の動きに基づいて前記画像を変化させる画像変化と、
を備える眼鏡レンズの設計方法。
【請求項２５】
請求項１から２４までのいずれか一項に記載の眼鏡レンズの設計方法において、
さらに、前記画像を視認した前記被験者の視線方向を検出することを含み、
前記感受性の評価は、前記視線方向に基づいて前記被験者の前記感受性を評価する眼鏡レンズの設計方法。
【請求項２６】
請求項１から２５までのいずれか一項に記載の眼鏡レンズの設計方法において、
前記画像の表示は、前記被験者の右眼および左眼に対して互いに異なる右眼用画像と左眼用画像とをそれぞれ表示する眼鏡レンズの設計方法。
【請求項２７】
請求項２６に記載の眼鏡レンズの設計方法において、
前記右眼用画像および前記左眼用画像との間には、立体視を可能にするための視差が存在する眼鏡レンズの設計方法。
【請求項２８】
請求項１から２７までのいずれか一項に記載の眼鏡レンズの設計方法により設計された眼鏡レンズを製造する眼鏡レンズの製造方法。
【請求項２９】
請求項２８に記載の眼鏡レンズの製造方法により製造された眼鏡レンズ。
【請求項３０】
被験者の顔と表示装置との位置関係を維持しながら表示された画像を視認した前記被験者の印象に基づいて評価された前記被験者の視覚に関する感受性の情報を入力する入力部と、
前記入力部を介して入力された前記情報または前記情報に基づいて算出した設計パラメータを眼鏡レンズ受注装置に送信する送信部と、
を備える眼鏡レンズ発注装置。
【請求項３１】
被験者の顔と表示装置との位置関係を維持しながら表示された画像を視認した前記被験者の印象に基づいて評価された前記被験者の視覚に関する感受性の情報または前記情報に基づいて算出した設計パラメータを受信する受信部と、
前記情報または前記設計パラメータに基づいて眼鏡レンズを設計する設計部と、
を備える眼鏡レンズ受注装置。
【請求項３２】
請求項３０に記載の眼鏡レンズ発注装置と、請求項３１に記載の眼鏡レンズ受注装置と、を備える眼鏡レンズ受発注システム。
【発明の詳細な説明】
【技術分野】
【０００１】
本発明は、眼鏡レンズの設計方法、眼鏡レンズの製造方法、眼鏡レンズ、眼鏡レンズ発注装置、眼鏡レンズ受注装置および眼鏡レンズ受発注システムに関する。
【背景技術】
【０００２】
個々の装用者の特性に適合するような眼鏡レンズを実現するための、種々の設計方法の提案がなされている。例えば、特許文献１では、眼鏡レンズを装用した場合にどのような見え方をするかを合成画像を用いて示す眼鏡レンズ受発注システムについて記載されている。
【先行技術文献】
【特許文献】
【０００３】
【特許文献１】日本国特許第４３０６７０２号公報
【発明の概要】
【０００４】
本発明の第１の態様によると、眼鏡レンズの設計方法は、被験者の顔と表示装置との位置関係を維持しながら前記表示装置に画像を表示することと、前記画像を視認した前記被験者の印象に基づいて、前記被験者の視覚に関する感受性を評価した情報を取得することと、前記感受性を評価した情報に基づいて眼鏡レンズを設計することと、を備える。
本発明の第２の態様によると、眼鏡レンズの製造方法は、第１の態様の眼鏡レンズの設計方法により設計された眼鏡レンズを製造する。
本発明の第３の態様によると、眼鏡レンズは、第２の態様の眼鏡レンズの製造方法により製造された。
本発明の第４の態様によると、眼鏡レンズ発注装置は、被験者の顔と表示装置との位置関係を維持しながら表示された画像を視認した前記被験者の印象に基づいて評価された前記被験者の視覚に関する感受性の情報を入力する入力部と、前記入力部を介して入力された前記情報または前記情報に基づいて算出した設計パラメータを眼鏡レンズ受注装置に送信する送信部と、を備える。
本発明の第５の態様によると、眼鏡レンズ受注装置は、被験者の顔と表示装置との位置関係を維持しながら表示された画像を視認した前記被験者の印象に基づいて評価された前記被験者の視覚に関する感受性の情報または前記情報に基づいて算出した設計パラメータを受信する受信部と、前記情報または前記設計パラメータに基づいて眼鏡レンズを設計する設計部と、を備える。
本発明の第６の態様によると、眼鏡レンズ受発注システムは、第４の態様の眼鏡レンズ発注装置と、第５の態様の眼鏡レンズ受注装置と、を備える。
【図面の簡単な説明】
【０００５】
【図１】図１（Ａ）および１（Ｂ）は、一実施形態の眼鏡レンズの設計方法に係る表示装置を示す斜視図であり、図１（Ａ）は外観の斜視図であり、図１（Ｂ）は内部の構造を示す斜視図である。
【図２】図２は、表示装置の内部の構造を模式的に示す断面図である。
【図３】図３は、表示装置の機能を模式的に示す概念図である。
【図４】図４（Ａ）、４（Ｂ）および４（Ｃ）は、ゆがみ画像を示す概念図であり、図４（Ａ）はゆがみのない原画像であり、図４（Ｂ）はゆがみ方向が９０度の場合の画像であり、図４（Ｃ）はゆがみ方向が０度の場合の画像である。
【図５】図５（Ａ）、５（Ｂ）および５（Ｃ）は、ゆがみ画像を示す概念図であり、図５（Ａ）はゆがみのない原画像であり、図５（Ｂ）はゆがみ方向が４５度の場合の画像であり、図５（Ｃ）はゆがみ方向が１３５度の場合の画像である。
【図６】図６は、ゆがみ画像の提示位置を説明する概念図である。
【図７】図７は、眼鏡レンズ受発注システムの構成を示す概念図である。
【図８】図８は、一実施形態の眼鏡レンズの設計方法の流れを示すフローチャートである。
【図９】図９は、一実施形態の眼鏡レンズの設計方法の流れを示すフローチャートである。
【図１０】図１０は、発注画面の例を示す図である。
【図１１】図１１は、一実施形態の眼鏡レンズの設計方法の流れを示すフローチャートである。
【図１２】図１２は、設計する眼鏡レンズ上の収差分布を模式的に示す図である。
【図１３】図１３は、表示装置を示す斜視図である。
【図１４】図１４（Ａ）および１４（Ｂ）は、ぼやけ画像を示す概念図であり、図１４（Ａ）はぼやけさせる前の画像であり、図１４（Ｂ）はぼやけ度合を変化させた場合のぼやけ画像である。
【図１５】図１５（Ａ）および１５（Ｂ）は、ぼやけ画像の作成方法を説明するための概念図であり、図１５（Ａ）はぼやけの方向依存性が無い場合であり、図１５（Ｂ）はぼやけの方向依存性が有る場合である。
【図１６】図１６は、表示画像の例を説明するための概念図である。
【図１７】図１７（Ａ）、１７（Ｂ）および１７（Ｃ）は、表示画像のぼやけの範囲を変化させる例を示す概念図であり、図１７（Ａ）は遠用部の設計、図１７（Ｂ）は中間部の設計、図１７（Ｃ）は近用部の設計に関する表示画像の例を説明するための概念図である。
【図１８】図１８は、一実施形態の眼鏡レンズの設計方法の流れを示すフローチャートである。
【図１９】図１９は、発注画面の例を示す図である。
【図２０】図２０は、一実施形態の眼鏡レンズの設計方法の流れを示すフローチャートである。
【図２１】図２１は、設計する眼鏡レンズ上の収差分布を模式的に示す図である。
【図２２】図２２は、表示画像の例を説明するための概念図である。
【図２３】図２３は、表示画像の表示位置を説明するための概念図である。
【図２４】図２４（Ａ）、２４（Ｂ）、２４（Ｃ）および２４（Ｄ）は、表示画像の表示態様を説明するための概念図であり、図２４（Ａ）は最も高い位置、図２４（Ｂ）は二番目に高い位置、図２４（Ｃ）は三番目に高い位置、図２４（Ｄ）は四番目に高い位置に表示画像が表示された場合の態様を示す。
【図２５】図２５は、一実施形態の眼鏡レンズの設計方法の流れを示すフローチャートである。
【図２６】図２６は、発注画面の例を示す図である。
【図２７】図２７は、一実施形態の眼鏡レンズの設計方法の流れを示すフローチャートである。
【図２８】図２８（Ａ）および２８（Ｂ）は、一実施形態の眼鏡レンズの設計方法に係る表示装置を示す斜視図であり、図２８（Ａ）は外観の斜視図であり、図２８（Ｂ）は内部の構造を模式的に示す断面図である。
【発明を実施するための形態】
【０００６】
以下の実施形態では、適宜図面を参照しながら、眼鏡レンズの設計方法等について説明する。以下の説明では、眼鏡レンズにおける「上方」、「下方」、「上部」、「下部」、「左側」および「右側」等と表記する場合は、当該眼鏡レンズが装用されたときに装用者から見たレンズ内の位置関係に基づくものとする。
【０００７】
−第１の実施形態−
第１の実施形態の眼鏡レンズの設計方法では、設計する眼鏡レンズの装用者の、視覚におけるゆがみに対する感受性を評価した情報を取得し、当該情報に基づいて眼鏡レンズを設計する。以下では、装用者のゆがみに対する感受性を評価するための検査を、ゆがみ感受性検査と呼ぶ。
【０００８】
以下の実施形態において、「ゆがみ」とは、対象物が実際の形状とは異なる形状の像として認識されることを示し、縦横斜め等の任意の方向に対象物の像が伸縮することを主に指す。「ゆがみ」には、歪曲収差（ｄｉｓｔｏｒｔｉｏｎ）を含むが、本実施形態では、累進屈折力レンズのレンズ面のように、屈折力や非点収差が変化する面を通して対象物を見ることで起こる対象物の像の伸縮を主に想定している。
なお、本実施形態の眼鏡レンズの設計方法は、歪曲収差等、対象物が実際の形状とは異なる形状の像として認識される場合に広く適用できる。
【０００９】
図１（Ａ）は、本実施形態の眼鏡レンズの設計方法における、ゆがみ感受性検査において被験者が着用するヘッドマウントディスプレイ（ＨＭＤ）型表示装置５０の外観を示す斜視図である。表示装置５０は、表示画面を含む本体５１と、被験者の顔と表示装置５０との位置関係を維持するように本体５１を被験者の頭部に固定する支持部５２とを備える。本体５１は、レンズ保持部５３と、レンズ保持部５３の前面に配置された表示画面保持部５４とを備える。
【００１０】
図１（Ｂ）は、表示装置５０の内部の構造を示す斜視図である。表示画面保持部５４は、レンズ保持部５３とヒンジ等の開閉機構を介して結合されており、レンズ保持部５３に対して表示画面保持部５４を前方に傾けることで内部の構造を確認したり、内部に配置された装置等を操作することができる。
【００１１】
レンズ保持部５３は、表示画面を見る被験者の、左眼および右眼からの視線がそれぞれ通過する開口部５５Ｌ，５５Ｒと、表示画面からの光を被験者の左眼および右眼にそれぞれ結像させるための結像レンズ５６Ｌ，５６Ｒとを内部に備える。結像レンズは一または複数のレンズを含んで構成される。表示画面保持部５４は、着脱可能に配置された携帯型表示装置５００を備える。携帯型表示装置５００は、以下では、スマートフォン等の携帯端末５００として説明する。なお、表示装置５０は、本体５１が表示画面を有する一体型であってもよい。この場合、後述する携帯端末５００が有する機能は、本体５１が有する。
【００１２】
携帯端末５００は、表示画面５０１を備える。表示画面５０１は、被験者の左眼および右眼に対してそれぞれ左眼用画像５０１Ｌおよび右眼用画像５０１Ｒを表示する。左眼用画像５０１Ｌと右眼用画像５０１Ｒは、レンズ保持部５３と表示画面保持部５４とが対向して配置されている状態である図１（Ａ）の場合に、左眼用画像５０１Ｌは開口部５５Ｌと対向し、右眼用画像５０１Ｒは開口部５５Ｒと対向するように表示される。
【００１３】
図２は、表示装置５０の本体５１のＡ−Ａ断面（図１（Ａ））を模式的に示した図である。表示装置５０は、被験者の眼Ｅが結像レンズ５６に対向するように、被験者の眼Ｅの高さに基づいて配置されている。携帯端末５００の表示画面５０１から出射した光は、結像レンズ５６を通過し、被験者の眼Ｅに入射する。結像レンズ５６は正の屈折力を有し、これにより被験者はＨＭＤに配置された表示画面５０１に眼Ｅを容易に合焦することができる。
【００１４】
図３は、表示装置５０の各部の機能を模式的に示す概念図である。本実施形態では、上述の支持部５２や結像レンズ５６等が有する機能以外の、画像表示に関する機能は携帯端末５００が有する。
【００１５】
携帯端末５００は、表示画面５０１と、角度検出部５０２と、記憶部５０３と、入力部５０４と、通信部５０５と、制御部５１０とを備える。制御部５１０は、表示制御部５１１を備える。
【００１６】
角度検出部５０２は、加速度センサ、地磁気センサおよび／またはジャイロセンサを備え、携帯端末５００の向き、角度および／または角速度等の値を検出する。検出したこれらの値から、後述の制御部５１０は、被験者が頭部を回転させた角度や、被験者がどの方向を向いているかを算出する。記憶部５０３は、不揮発性の記憶媒体を含んで構成され、ゆがみ感受性検査で使用される画像表示用のプログラム等の各種プログラムや、表示する画像等を記憶する。
【００１７】
入力部５０４は、ボタンや、表示画面５０１と一体化したタッチパネル等を含んで構成され、ゆがみ感受性検査で用いる各種パラメータの入力等、携帯端末５００の操作を受け付ける。通信部５０５は、無線通信を行うための通信装置を含んで構成され、ゆがみ感受性検査で使用される画像やプログラムを取得したり、適宜必要な情報の送受信を行う。
なお、ゆがみ感受性検査で使用される画像は、着脱可能な記憶媒体を用いて外部から入手してもよい。
【００１８】
携帯端末５００の制御部５１１は、ＣＰＵ等のプロセッサを含んで構成され、記憶部５０３に記憶されたプログラムを実行し、携帯端末５００の各動作の主体となる。表示制御部５１１はゆがみ感受性検査の画像表示用プログラムで定められた順序または規則に従って、表示画面５０１に、以下に説明されるゆがみ画像を表示する。
【００１９】
図４は、ゆがみ感受性検査において、表示画面５０１に表示される、ゆがみを含んだ画像（以下、ゆがみ画像Ｙと呼ぶ）を説明するための図である。以下では、ゆがみ画像Ｙを作成する前の原画像Ｙｏを、図４（Ａ）に示された、黒および白の正方形が互いに隣接することなく交互に並んだパターン（市松模様のパターン）からなる長方形の画像として説明する。図４（Ｂ）および図４（Ｃ）は、ゆがみ画像Ｙを示す。なお、以下の実施形態では、ゆがみ方向を、原画像Ｙｏが最も引き伸ばされた方向とし、図中右方向を０度とし反時計回りで角度が増加するように定義する。例えば、縦方向に最も引き伸ばされた画像はＹ９０で示し、横方向に最も引き伸ばされた画像をＹ０で示す。
【００２０】
図４（Ｂ）は、基準画像を縦方向（９０度の方向）に引き伸ばすことにより作成したゆがみ画像Ｙ９０の例を示す。ゆがみ画像Ｙ９０ａは、原画像Ｙｏに対して、縦方向に寸法を引き伸ばすと共に横方向に寸法を縮めることにより作成されている。また、ゆがみ画像Ｙ９０ｂは、ゆがみ画像Ｙ９０ａに対して、縦方向にさらに寸法を引き伸ばすと共に横方向にさらに寸法を縮めることにより、さらにゆがみ度合の高いゆがみ画像として作成されている。ゆがみ画像Ｙ９０ａおよびＹ９０ｂに対して、ゆがみ度合に基づいて「低」および「高」で示した。
【００２１】
なお、ゆがみ画像Ｙは原画像Ｙｏの一方向のみの伸縮により作成されてもよい。すなわち、必ずしも一方向に伸び（または縮み）、かつ、その一方向に垂直な他方向に縮む（または伸びる）ことを必要としない。
【００２２】
図４（Ｃ）は、基準画像を横方向（０度の方向）に引き伸ばすことにより作成したゆがみ画像Ｙ０の例を示す。ゆがみ画像Ｙ０ａは、原画像Ｙｏに対して、横方向に寸法を引き伸ばすと共に縦方向に寸法を縮めることにより作成されている。また、ゆがみ画像Ｙ０ｂは、ゆがみ画像Ｙ０ａに対して、横方向にさらに寸法を引き伸ばすと共に縦方向にさらに寸法を縮めることにより、さらにゆがみ度合の高いゆがみ画像として作成されている。ゆがみ画像Ｙ０ａおよびＹ０ｂに対して、ゆがみ度合に基づいて「低」および「高」で示した。
【００２３】
図５は、ゆがみ感受性検査において、原画像Ｙｏを斜め方向に伸縮して作成したゆがみ画像を説明するための図である。図５（Ａ）には、比較のため原画像Ｙｏを示した。
【００２４】
図５（Ｂ）は、ゆがみ方向が４５度で、ゆがみ度合が「低」および「高」の２つのゆがみ画像Ｙ４５ａおよびＹ４５ｂを示す。ゆがみ画像Ｙ４５ａは、原画像Ｙｏに対して、４５度の方向に寸法を引き伸ばすと共に１３５度の方向に寸法を縮めることにより作成されている。また、ゆがみ画像Ｙ４５ｂは、ゆがみ画像Ｙ４５ａに対して、４５度の方向にさらに寸法を引き伸ばすと共に１３５度の方向にさらに寸法を縮めることにより作成されている。
【００２５】
図５（Ｃ）は、ゆがみ方向が１３５度で、ゆがみ度合が「低」および「高」の２つのゆがみ画像Ｙ１３５ａおよびＹ１３５ｂを示す。ゆがみ画像Ｙ１３５ａは、原画像Ｙｏに対して、１３５度の方向に寸法を引き伸ばさすと共に４５度の方向に寸法を縮めることにより作成されている。また、ゆがみ画像Ｙ１３５ｂは、ゆがみ画像Ｙ１３５ａに対して、１３５度の方向にさらに寸法を引き伸ばすと共に４５度の方向にさらに寸法を縮めることにより作成されている。
なお、上述の例では、ゆがみ画像Ｙは、原画像Ｙｏを互いに垂直な二方向に伸長または縮小させることで、画像の対称性を持たせているが、画像中の各点を任意に変位させる等して、対称性を持たない不規則なゆがみを有するゆがみ画像Ｙを作成してもよい。
【００２６】
原画像Ｙｏは、どのような画像でもよい。例えば、風景、携帯電話、本、新聞、パソコン、タブレット端末、楽譜等、被験者が日常的に見る対象物の画像とすることができる。
【００２７】
表示制御部５１１（図３）は、ゆがみ方向および／またはゆがみ度合の異なる複数のゆがみ画像Ｙを切り替えて表示画面５０１に表示する。被験者は、表示された異なる複数のゆがみ画像Ｙを視認し、快適に視認できるか、日常的に許容できるか等、ゆがみ画像Ｙを視認した印象を回答する。これらの回答を基に、被験者のゆがみに対する感受性が評価され、数値や級により表される。
なお、複数のゆがみ画像Ｙを動画として構成してもよい。
【００２８】
図６は、ゆがみ画像Ｙを被験者の視野のどの位置に提示するかを説明するための図である。表示制御部５１１は、ゆがみ画像Ｙを、左眼用画像５０１Ｌおよび右眼用画像５０１Ｒ（図１）において、被験者が累進屈折力レンズを着用した際に側方部Ｌａ１，Ｌａ２に対応する位置に表示する。ここで、累進屈折力レンズは、遠用部、近用部、および、遠用部と近用部とを屈折度が連続的に変化するよう接続する中間部を備え、中間部の上方に遠用部が、中間部の下方に近用部が配置された眼鏡レンズである。以下の実施形態では、遠用部を通して見る距離を遠距離、近用部を通して見る距離を近距離、中間部を通して見る距離を中間距離と呼ぶ。遠距離、中間距離、近距離に対応する距離の一例は、遠距離が１ｍ以上、中間距離が５０ｃｍ以上１ｍ未満、近距離が２５ｃｍ以上５０ｃｍ未満であるが、状況等により適宜変化する。
なお、表示制御部５１１は、側方部Ｌａ１またはＬａ２に対応する領域の他、左眼用画像５０１Ｌおよび／または右眼用画像５０１Ｒの任意の位置および範囲の部分的な領域にゆがみ画像Ｙを表示することができる。
【００２９】
図６の視野対応図Ｖ１は、累進屈折力レンズの左側の側方部Ｌａ１と、右側の側方部Ｌａ２と、遠用部、近用部、および中間部を含む非側方部Ｕとを有する。側方部Ｌａ１，Ｌａ２は斜線で示す。視野対応図Ｖ１は、ゆがみ等が表示画像のどの位置に配置されるかを眼鏡レンズの輪郭等を用いて説明している。なお、視野対応図Ｖ１は、画像の表示位置を例示し模式的に示す図でもあるが、眼鏡レンズや眼鏡レンズの側方部Ｌａ１，Ｌａ２の輪郭を模式的に示す線等は表示画像において適宜省略してもよい。
【００３０】
表示制御部５１１（図３）は、想定される表示画面５０１（図１）と被験者の眼Ｅとの間の一般的な距離、および、被験者の角膜頂点間距離等に基づいて側方部Ｌａ１，Ｌａ２に対応する、左眼用画像５０１Ｌおよび右眼用画像５０１Ｒ上の領域を算出し、当該領域にゆがみ画像Ｙを配置する。左側方部Ｌａ１に対応する領域は左眼用画像５０１Ｌおよび右眼用画像５０１Ｒのそれぞれの画像の中央より左側に配置され、右側方部Ｌａ２に対応する領域は左眼用画像５０１Ｌおよび右眼用画像５０１Ｒのそれぞれの画像の中央より右側に配置される。
【００３１】
表示制御部５１１は、左眼用画像５０１Ｌおよび右眼用画像５０１Ｒのそれぞれにおいて、左側方部Ｌａ１に対応する領域にゆがみ方向が例えば４５度であるゆがみ画像Ｙ４５ｂを表示し、右側方部Ｌａ２に対応する領域にゆがみ方向が例えば１３５度であるゆがみ画像Ｙ１３５ｂを表示する。このように左側方部Ｌａ１と右側方部Ｌａ２に対称な方向に傾いたゆがみ方向を有する、すなわちゆがみ方向を示す角度の和が１８０度となる、２つのゆがみ画像Ｙを配置することでより実際の累進屈折力レンズの装用時に近いゆがみを被験者の視野に提示することができる。
なお、ゆがみ方向を示す角度の値に関しては、誤差や個人間のばらつきを考慮してプラスマイナス１０度以内の差を認めてもよい。ただし、ばらつきを考慮して許容される角度の差はこれに限らない。また、側方部Ｌａ１，Ｌａ２のそれぞれ対応する領域に配置される複数のゆがみ画像Ｙは、ゆがみ方向ではなくゆがみ度合を異ならせてもよく、ゆがみ方向とゆがみ度合との両方を異ならせてもよい。
【００３２】
本実施形態の眼鏡レンズの設計方法では、ゆがみ感受性検査により得られた、被験者、すなわち設計する眼鏡レンズの装用者のゆがみに対する感受性に関する情報に基づいて、設計する眼鏡レンズの一または複数の点における目標収差分布または／および目標度数分布や、許容される収差の上限の値を設定することができる。特に非点収差について目標収差や、許容される収差の上限の値を設定することが好ましい。
【００３３】
眼鏡レンズの設計に係る眼鏡レンズ受発注システムについて説明する。本実施形態に係る眼鏡レンズ受発注システムは、上述したように装用者の視野におけるゆがみに対する感受性に応じて、収差等の光学特性が適切に設定された眼鏡レンズを提供することができる。
【００３４】
図７は、本実施形態に係る眼鏡レンズ受発注システム１０の構成を示す図である。眼鏡レンズ受発注システム１０は、眼鏡店（発注者）に設置される発注装置１と、レンズメーカに設置される受注装置２、加工機制御装置３、および眼鏡レンズ加工機４と、を含んで構成される。発注装置１と受注装置２とは、例えばインターネット等のネットワーク５を介して通信可能に接続されている。また、受注装置２には、加工機制御装置３が接続されており、加工機制御装置３には眼鏡レンズ加工機４が接続されている。なお、図７では、図示の都合上、発注装置１を１つのみ記載しているが、実際には複数の眼鏡店に設置された複数の発注装置１が受注装置２に接続されている。
【００３５】
発注装置１は、眼鏡レンズの発注処理を行うコンピュータであり、制御部１１と、記憶部１２と、通信部１３と、表示部１４と、入力部１５と、を含む。制御部１１は、ＣＰＵ等のプロセッサを含んで構成され、記憶部１２に記憶されたプログラムを実行することにより、発注装置１を制御する。制御部１１は、眼鏡レンズの発注処理を行う発注処理部１１１を備える。通信部１３は、受注装置２とネットワーク５を介して通信を行う。表示部１４は、液晶ディスプレイやＣＲＴ等の表示装置であり、発注する眼鏡レンズの情報（発注情報）を入力するための発注画面等を表示する。入力部１５は、マウスやキーボード等の入力装置を含む。入力部１５を介して、発注画面の内容に応じた発注情報等が入力される。
なお、表示部１４と入力部１５とはタッチパネル等により一体的に構成されていてもよい。
【００３６】
受注装置２は、眼鏡レンズの受注処理や設計処理、光学性能の演算処理等を行うコンピュータであり、制御部２１と、記憶部２２と、通信部２３と、表示部２４と、入力部２５とを含んで構成される。制御部２１は、ＣＰＵ等のプロセッサを含んで構成され、記憶部２２に記憶されたプログラムを実行することにより、受注装置２を制御する。制御部２１は、眼鏡レンズの受注処理を行う受注処理部２１１と、眼鏡レンズの設計処理を行う設計部２１２とを備える。通信部２３は、発注装置１とネットワーク５を介して通信を行ったり、加工機制御装置３と通信を行ったりする。記憶部２２は、眼鏡レンズ設計のための各種データを読み出し可能に記憶する。表示部２４は、液晶ディスプレイやＣＲＴ等の表示装置であり、眼鏡レンズの設計結果等を表示する。入力部２５は、マウスやキーボード等の入力装置を含んで構成される。
なお、表示部２４と入力部２５とはタッチパネル等により一体的に構成されていてもよい。また、受注装置２の機能を、受注処理部２１１を備える受注装置と設計部２１２を備える設計装置により行ってもよい。
【００３７】
次に、眼鏡レンズ受発注システム１０において、眼鏡レンズを提供する手順について、図８に示すフローチャートを用いて説明する。図８の左側には眼鏡店側で行う手順Ｓ１１〜Ｓ１３を示し、図８の右側にはレンズメーカ側で行う手順Ｓ２１〜Ｓ２３を示す。眼鏡レンズ受発注システム１０における眼鏡レンズの製造方法では、上述の眼鏡レンズの設計方法により眼鏡レンズが設計される。
【００３８】
ステップＳ１１において、発注者は、装用者の視覚に対する感受性に関する情報を取得する。本実施形態では、図９に示すように、発注者は、装用者を被験者としてゆがみ感受性検査を行い、装用者のゆがみに対する感受性に関する情報を取得する。
【００３９】
図９は、ステップＳ１１をさらに複数の段階に分けて示したフローチャートである。ステップＳ１１１１において、発注者は、装用者にＨＭＤ等の表示装置５０を着用させ、装用者の視野に表示画面５０１を配置する。ステップＳ１１１１が終了したら、ステップＳ１１１２に進む。
【００４０】
ステップＳ１１１２において、発注者は、異なるゆがみを備える複数のゆがみ画像Ｙを、表示画面５０１に順次表示して、装用者に視認させ、ゆがみ画像Ｙを視認した装用者の印象を取得する。発注者は、例えば、図６で示されたような、累進屈折力レンズの側方部Ｌａ１，Ｌａ２に対応する表示画面５０１の領域にゆがみ画像Ｙを表示する。発注者は、表示するゆがみ画像Ｙのゆがみ方向を固定し、ゆがみ度合を増加させていき、装用者が、ゆがみ画像Ｙを許容できないと回答したゆがみ画像Ｙを特定する。さらに、ゆがみ方向を変えた状態でゆがみ方向を固定し、ゆがみ度合を増加させていき、装用者が、許容できないと回答したゆがみ画像Ｙを特定する。このように、１つまたは複数のゆがみ方向について、それぞれゆがみ度合の異なる複数のゆがみ画像Ｙを表示する。ステップＳ１１１２が終了したら、ステップＳ１１１３に進む。
なお、異なるゆがみ度合を有するゆがみ画像Ｙを提示する順番は特に限定されず、ゆがみに対する慣れが生じないように、装用者が十分許容可能な、ゆがみ度合の小さいゆがみ画像Ｙを少なくとも数画像に一回の割合で提示するようにしてもよい。
【００４１】
ステップＳ１１１３において、発注者は、ゆがみ画像Ｙを視認した装用者の視野におけるゆがみに対する感受性を評価する。発注者は、ステップＳ１１１２で得られた、ゆがみ画像Ｙを視認した装用者からの回答に基づいて、装用者のゆがみに対する感受性を、予め定められた基準により数値に変換して記録する。例えば、上述のようにゆがみ画像Ｙのゆがみ度合を、装用者が許容できないと回答するまで増加させていった場合、装用者が最初に許容できないと回答したゆがみ画像Ｙのゆがみ度合や、装用者が許容できる限界のゆがみ画像Ｙのゆがみ度合を、装用者のゆがみに対する感受性を示すパラメータ（以下、感受性パラメータと呼ぶ）として取得する。すなわち、上記の特定したゆがみ画像に基づいて感受性パラメータを決定する。ステップＳ１１１３が終了したら、ステップＳ１２に進む。
【００４２】
ステップＳ１２において、発注者は、ステップＳ１１１３において取得した、感受性パラメータ等の、装用者の視野におけるゆがみに対する感受性に関する情報を含む、眼鏡レンズの発注情報を決定する。そして、発注者は、発注装置１の表示部１４に発注画面を表示させ、入力部１５を介して発注情報を入力する。
【００４３】
図１０は、発注画面１００ａの一例を示す図である。発注画面１００ａでは、項目に分けられて発注情報が表されている。レンズ情報項目１０１には、注文するレンズの商品名、球面度数（Ｓ度数）、乱視度数（Ｃ度数）、乱視軸度、加入度等のレンズ注文度数に関連する項目を入力する。加工指定情報項目１０２は、注文するレンズの外径を指定する場合や、任意点厚さを指定する場合に入力する。染色情報項目１０３は、レンズの色を指定する場合に入力する。フィッティングポイント（ＦＰ）情報１０４には、装用者の眼の位置情報を入力する。ＰＤは瞳孔間距離を表す。フレーム情報項目１０５には、フレームモデル名、フレーム種別等を入力する。感受性情報項目１０６ａには、ゆがみ感受性検査において、感受性パラメータ等の、装用者のゆがみに対する感受性の強さを示す数値を入力する。
【００４４】
図１０の例では、ゆがみに対する感受性の強さを、各ゆがみ方向について、１０段階の数値により表した（０度で「４」、４５度で「５」等）。図１０の例では、数字が大きければ大きい程、ゆがみに対する感受性が強くなるようにゆがみに対する感受性の強さを定義している。すなわち、ここでの感受性の強さは、ゆがみに対する耐性の強さを示している。この場合、例えば、感受性パラメータは、以下のように設定される。最小のゆがみ度合で作成したゆがみ画像Ｙを区分１、最大のゆがみ度合で作成したゆがみ画像Ｙを区分１０とし、各ゆがみ画像Ｙをゆがみ度合により１０段階に区分する。そして、装用者が最大限許容可能であるとしたゆがみ画像Ｙの区分を感受性の強さの測定値とする。
なお、ゆがみに対する感受性の表し方について、ゆがみに対する感受性が小さい程大きな数値になるように表してもよい。この場合、感受性の強さは、装用者の感度の高さを示しており、少しのゆがみでも許容できない場合は感度が高いため数値が大きくなる。また、感受性の強さの測定値は数値でなく記号で定義してもよいし、ゆがみに対する感受性を、予め定められた基準により定義できれば特にその方法は制限されない。
【００４５】
なお、発注画面１００ａには、上述の項目の他にも、フレームの前傾角、そり角、角膜頂点間距離等のフィッティングパラメータや装用者の調節力に関する情報等、様々な情報を追加することができる。また、装用者のゆがみに対する感受性の強さを示す数値に加え、またはその代わりに、設計する眼鏡レンズの非点収差が小さい範囲を示す指標等の設計パラメータを入力する構成にしてもよい。眼鏡レンズにおいて、非点収差が小さい範囲を示す指標として、例えば、説明を後述する図１２中の破線または一点鎖線の矢印に示すような、遠用部または近用部の所定の高さにおいて、非点収差が所定の値以下となる左右方向の長さ等とすることができる。
【００４６】
発注者が、図１０の発注画面１００ａの各項目を入力し、送信ボタン（不図示）をクリックすると、発注装置１の発注処理部１１１は、発注画面１００ａの各項目において入力された情報（発注情報）を取得して、ステップＳ１３（図８）に進む。ステップＳ１３において、発注装置１は、当該発注情報を、通信部１３を介して受注装置２へ送信する。
【００４７】
発注装置１において、発注画面１００ａを表示する処理、発注画面１００ａにおいて入力された発注情報を取得する処理、当該発注情報を受注装置２に送信する処理については、発注装置１の制御部１１が、記憶部１２に予めインストールされた所定のプログラムを実行することによって行う。
【００４８】
ステップＳ２１（図８）において、受注装置２の受注処理部２１１は、通信部２３を介して、発注装置１から発注情報を受信すると、ステップＳ２２に進む。ステップＳ２２において、受注装置２の設計部２１２は、受信した発注情報に基づいて眼鏡レンズの設計を行う。
【００４９】
図１１は、ステップＳ２２に対応する眼鏡レンズの設計の手順を示すフローチャートである。ステップＳ２２１１において、受注装置２は、眼鏡レンズの処方データと、装用者のゆがみに対する感受性に関する情報および／または非点収差の小さい範囲を示す指標等の設計パラメータとを取得する。受注装置２は、適宜フレームの前傾角、そり角、角膜頂点間距離等のフィッティングパラメータ等も取得する。ステップＳ２２１１が終了したらステップＳ２２１２に進む。
【００５０】
ステップＳ２２１２において、受注装置２の設計部２１２は、ステップＳ２２１１で取得した装用者のゆがみに対する感受性に関する情報および／または設計パラメータに基づいて眼鏡レンズの目標収差分布または／および目標度数分布を設定する。
【００５１】
図１２は、装用者のゆがみに対する感受性に基づいた、非点収差に関する目標収差の設定の例を示す概念図である。図中央に２つの収差分布図Ａ１，Ａ２を示し、図の最も右側の部分には、収差分布図で収差の大きさを表すために用いられたパターンに対応する収差の大きさを示した。破線矢印は、上記の通り収差の大きさが所定の値以下の部分の幅を示す。なお、所定の値は予め定められる任意の値であり、例えば０．５ディオプタ―等の値が考えられるが、具体的な値はこれに限らない。各収差分布図において、上側の破線矢印は、遠用部において収差の大きさが所定の値以下の部分の幅を示し、この幅は遠用部を設計する際の指標とし得る。下側の一点鎖線の矢印は近用部において収差の大きさが所定の値以下の部分の幅を示す。この幅は近用部を設計する際の指標とし得る。上下方向における破線矢印および一点鎖線矢印の位置は任意に設定されるが、例えば遠用測定ポイントの位置（遠用度数測定位置）や、近用測定ポイントの位置（近用度数測定位置）を基準に定められる。
【００５２】
図１２に示した収差分布図の中で、左側の収差分布図Ａ１は、ゆがみに対する感受性が弱い装用者のためのレンズを示す。このようなレンズでは、非点収差の小さい範囲は狭いが、非点収差の変化が小さいため、ゆがみ度合は小さい。右側の収差分布図Ａ２は、ゆがみに対する感受性が収差分布図Ａ１の場合よりも強い装用者のためのレンズを示す。このようなレンズでは、非点収差の変化は大きいものの、遠用部および近用部の非点収差の小さい範囲が収差分布図Ａ１の場合よりも広く設計されている。ステップＳ２２１２が終了したら、ステップＳ２２１３に進む。
【００５３】
ステップＳ２２１３（図１１）において、受注装置２は、設定された目標収差分布または／および目標度数分布に基づいて、眼鏡レンズのレンズ全体の形状を決定する。ステップＳ２２１３が終了したら、ステップＳ２２１４に進む。ステップＳ２２１４において、受注装置２は、眼鏡レンズの屈折力、非点収差等の光学特性が所望の条件を満たすかを判定する。所望の条件とは、装用者の感受性を反映しつつ、全ての処方を満たしている条件をいう。所望の条件を満たす場合、ステップＳ２２１４を肯定判定し、設計処理を終了し、ステップＳ２３（図８参照）に進む。所望の条件を満たさない場合、ステップＳ２２１４を否定判定し、ステップＳ２２１３に戻る。
【００５４】
ステップＳ２３において、受注装置２は、ステップＳ２２で設計した眼鏡レンズの設計データを加工機制御装置３に出力する。加工機制御装置３は、受注装置２から出力された設計データに基づいて、眼鏡レンズ加工機４に加工指示を送る。この結果、眼鏡レンズ加工機４によって、当該設計データに基づく眼鏡レンズが加工され、製造される。眼鏡レンズ加工機４によって製造された眼鏡レンズが眼鏡店に出荷され、眼鏡フレームにはめ込まれて顧客（装用者）に提供される。
【００５５】
なお、受注装置２において、発注装置１から発注情報を受信する処理、受信した発注情報に基づいて眼鏡レンズを設計する処理、眼鏡レンズの設計データを加工機制御装置３に出力する処理については、受注装置２の制御部２１が、記憶部２２に予めインストールされた所定のプログラムを実行することによって行う。
【００５６】
上述の実施の形態によれば、次の作用効果が得られる。
（１）本実施形態の眼鏡レンズの設計方法は、被験者の顔と表示装置５０との位置関係を維持しながら表示装置５０にゆがみ画像Ｙを表示することと、ゆがみ画像Ｙを視認した被験者の印象に基づいて、被験者の視覚に関する感受性を評価した情報を取得することとを備える。これにより、装用者の眼を基準とした所望の位置に画像を提示して正確に装用者の視覚に関する感受性を測定することができ、当該感受性に基づいて装用者に合った眼鏡レンズを設計することができる。
【００５７】
（２）本実施形態の眼鏡レンズの設計方法において、表示装置５０は、被験者の眼の高さに基づいた位置に配置される。これにより、被験者の眼の高さに合わせて所望の位置に画像を提示することができ、正確に装用者の視覚に関する感受性を測定することができる。
【００５８】
（３）本実施形態の眼鏡レンズの設計方法において、表示装置５０による画像の表示は、それぞれ異なるゆがみを備える複数のゆがみ画像Ｙを表示し、感受性の評価は、複数のゆがみ画像Ｙを視認した被験者の印象に基づいて被験者のゆがみに対する感受性を評価する。これにより、装用者のゆがみに対する感受性に基づいて、装用者に合った眼鏡レンズを設計することができる。
【００５９】
（４）本実施形態の眼鏡レンズの設計方法において、表示装置５０に表示される複数のゆがみ画像Ｙは、ゆがみのゆがみ度合およびゆがみ方向のうち少なくとも一方が異なる。これにより、様々なゆがみ画像Ｙに対する装用者の反応から、より正確に装用者のゆがみに対する感受性を測定することができる。
【００６０】
（５）本実施形態の眼鏡レンズの設計方法において、ゆがみ画像Ｙのそれぞれは、１若しくは複数の部分的な領域にゆがみを有する。これにより、累進屈折力レンズ等の眼鏡レンズの構造に合わせて、装用者の視野の一部におけるゆがみに対する感受性を測定することができる。
【００６１】
（６）本実施形態の眼鏡レンズの設計方法において、ゆがみ画像Ｙは、複数の部分的な領域のそれぞれにおいて、ゆがみ度合およびゆがみ方向のうち少なくとも一方が異なる。これにより、累進屈折力レンズ等の眼鏡レンズの、レンズ内の位置によって現われやすいゆがみの態様に基づき、装用者のゆがみに対する感受性を測定することができる。
【００６２】
（７）本実施形態の眼鏡レンズの設計方法において、ゆがみ画像Ｙは、ゆがみ画像Ｙの中心より左側の一部の領域と、ゆがみ画像Ｙの中心より右側の一部の領域とのそれぞれにゆがみを有する。これにより、累進屈折力レンズの側方部Ｌａ１，Ｌａ２等の、眼鏡レンズ上のゆがみが発生しやすい位置等に基づいて、装用者のゆがみに対する感受性を測定することができる。
【００６３】
（８）本実施形態の眼鏡レンズ発注装置１は、被験者の顔と表示装置５０との位置関係を維持しながら表示されたゆがみ画像Ｙを視認した被験者の印象に基づいて評価された被験者の視覚に関する感受性の情報を入力する入力部１５と、入力部１５を介して入力された当該情報または当該情報に基づいて算出した設計パラメータを眼鏡レンズ受注装置に送信する通信部１３と、を備える。これにより、装用者の眼を基準とした所望の位置に画像を提示して正確に測定された感受性に基づいた、装用者に合った眼鏡レンズを発注することができる。
【００６４】
（９）本実施形態の眼鏡レンズ受注装置２は、被験者の顔と表示装置５０との位置関係を維持しながら表示されたゆがみ画像Ｙを視認した被験者の印象に基づいて評価された被験者の視覚に関する感受性の情報または当該情報に基づいて算出した設計パラメータを受信する受信部と、当該情報または設計パラメータに基づいて眼鏡レンズを設計する設計部と、を備える。これにより、装用者の眼を基準とした所望の位置に画像を提示して正確に測定された感受性に基づいた、装用者に合った眼鏡レンズを受注することができる。
【００６５】
（１０）本実施形態の眼鏡レンズ受発注システム２は、上述の眼鏡レンズ発注装置１と上述の眼鏡レンズ受注装置２とを備える。これにより、装用者の眼を基準とした所望の位置に画像を提示して正確に測定された感受性に基づいた、装用者に合った眼鏡レンズを提供することができる。
【００６６】
次のような変形例も本発明の範囲内であり、上述の実施形態と組み合わせることが可能である。上述の実施形態と同一の参照符号で示された部分は、同一の機能を有し適宜説明を省略する。
（変形例１）
上述の実施形態では、累進屈折力レンズの側方部Ｌａ１，Ｌａ２に対応する表示画面５０１の領域にゆがみ画像Ｙを表示する例を説明したが、眼鏡レンズ全体にゆがみ画像を提示してもよい。これにより、装用者のゆがみに対する一般的な感受性を測定することが容易になる。
【００６７】
（変形例２）
左眼用画像５０１Ｌのゆがみ画像Ｙと、右眼用画像５０１Ｒのゆがみ画像Ｙは、異なるゆがみを有していてもよい。すなわち、被験者の右眼および左眼に対して互いに異なる左眼用画像５０１Ｌと右眼用画像５０１Ｒとをそれぞれ表示してもよい。例えば、左眼用画像５０１Ｌはゆがみ方向が４５度のゆがみを有し、右眼用画像５０１Ｒはゆがみ方向が１３５度のゆがみを有してもよい。これにより、単なる視覚的なゆがみに留まらず、ぐらぐらするような感覚を被験者に与えることができる。このような感覚について、後述の動作検知により、頭部の動きに連動してゆがみ画像Ｙを変化させて被験者の反応を見ることにより、より正確なゆがみに対する感受性の測定を可能にすることができる。
【００６８】
（変形例３）
左眼用画像５０１Ｌと右眼用画像５０１Ｒとの間には、立体視を可能にするための視差が存在してもよい。左眼用画像５０１Ｌおよび右眼用画像５０１Ｒにおいて、これらの画像が示す対象物の各部分の奥行に基づいて、左眼用画像５０１Ｌと右眼用画像５０１Ｒにおける当該各部分に対応する画像の部分を変位させ、立体視を可能にする。これにより、立体視を考慮に入れ、より正確に装用者の視覚に関する感受性を測定することができる。
【００６９】
（変形例４）
ゆがみ画像Ｙは、ゆがみ感受性検査の被験者の周囲の少なくとも一部を撮像した画像を加工した加工画像とすることができる。
【００７０】
図１３は、外部を撮像した画像を加工して表示する表示装置５０ａを示す斜視図である。表示装置５０ａの本体５１の表示画面保持部５４のカバーにおいて、携帯端末５００のカメラ５０２に対応する位置に開口部５４１を設置する。携帯端末５００は、開口部５４１を通して撮像した被験者の周囲の画像に、上述の実施形態で示された方法等によりゆがみを加えて表示画面５０１に表示する。このような方法により、現実の対象物の画像に基づいて、装用者の視覚に関する感受性をより正確に測定することができる。
なお、携帯端末５０のカメラ以外の撮像装置を用いて周囲を撮像してもよい。例えば、表示装置５０ａの本体５１自体にカメラが設けられていてもよい。
【００７１】
（変形例５）
表示装置５０は、三次元仮想現実空間を構築し、角度検出部５０２が検出した携帯端末５００の向き、角度および／または角速度に基づいて算出された被験者の見る方向に対応する三次元仮想現実空間内の風景を原画像Ｙｏとしてゆがみ画像Ｙを作成し表示してもよい。この場合、ゆがみ画像Ｙは、仮想的な空間を示す画像を加工した加工画像となる。これにより、眼鏡店のような限られた空間でも、仮想現実空間を利用することにより様々な状況をシミュレートして、装用者の視覚に関する感受性を測定することができる。
【００７２】
表示装置５０は、角度検出部５０２が検出した携帯端末５００の向き、角度および／または角速度等に基づいて、被験者の頭部の動作を検知する動作検知を行い、検知した被験者の動きに基づいて、表示画面５０１のゆがみ画像Ｙを変化させることができる。これにより、日常的な動作等を行い、その間の被験者の印象を取得することができ、より様々な状況で装用者の視覚に関する感受性を測定することができる。
【００７３】
−第２の実施形態−
第２の実施形態に係る表示装置５０および眼鏡レンズ受発注システム１０は、第１の実施形態に係る表示装置５０および眼鏡レンズ受発注システム１０と同様の構成を有しているが、表示装置５０が、ゆがみ画像Ｙではなく、ぼやけを備える画像を表示する点が、第１の実施形態とは異なっている。第１の実施形態との同一部分については第１の実施形態と同一の符号で参照し、場合に応じ説明を省略する。
なお、光を部分的に透過するとともに映像を表示可能な表示素子を含んで構成された光学透過型のＨＭＤを表示装置として、当該ＨＭＤを通してみる風景をぼやかせて表示してもよい。
【００７４】
第２の実施形態の眼鏡レンズの設計方法では、設計する眼鏡レンズの装用者に互いに異なる範囲のぼやけをそれぞれ備える画像（以下、ぼやけ画像と呼ぶ）を視認させ、視覚におけるぼやけ、特にぼやけの範囲に対する感受性を評価した情報を取得し、当該情報に基づいて眼鏡レンズを設計する。以下では、装用者のぼやけに対する感受性を評価するための検査を、ぼやけ感受性検査と呼ぶ。
【００７５】
以下の実施形態において、「ぼやけ」とは、対象物を、当該対象物を視認するのに適切な分解能よりも低い分解能で認識した際に起こる対象物のディテールの消失を指す。より具体的には、「ぼやけ」は、主に、デフォーカス状態（ピントがずれた状態）で撮像された画像や、対象物からの光の眼光学系の光学的収差による結像面が網膜とずれている際に認識される像で見られる輪郭やパターンの不明瞭化を指す。
【００７６】
図１４は、原画像Ｂｏと、原画像Ｂｏを加工したぼやけ画像Ｂとを示す図である。図１４（Ａ）は、原画像Ｂｏの例として、アルファベットの文字“Ｅ”からなる画像を示した。図１４（Ｂ）は、原画像Ｂｏに対して３種類のぼやけを加えて作成した３つのぼやけ画像を、ぼやけの度合（以下、ぼやけ度合と呼ぶ）の小さい順にぼやけ画像Ｂ１，Ｂ２およびＢ３として示した図である。ぼやけ度合が大きいぼやけ画像ほど、輪郭の位置および形状が不明瞭であることが分かる。
【００７７】
図１５は、ぼやけ画像の作成方法を説明するための概念図である。図１５（Ａ）は、ぼやけに方向依存性の無い場合のぼやけ画像Ｂ４を作成する際の画像処理を示す概念図である。この場合のぼやけ画像Ｂ４は、非点収差がない場合の屈折力エラーによるぼやけに基づいて作成したものである。
【００７８】
ぼやけ画像Ｂ４は、画像中の各画素の画素値を、点像分布関数（Ｐｏｉｎｔ  Ｓｐｒｅａｄ  Ｆｕｎｃｔｉｏｎ；ＰＳＦ）をカーネルとして畳み込み積分することにより取得することができる。丸の中にＸが描かれた記号は畳み込み積分を示す。原画像Ｂｏを方向依存性の無い点像分布関数ＰＳＦ１により畳み込み積分すると、ぼやけ画像Ｂ４に示すように各点が一様にぼけたような画像が得られる。ぼやけ画像Ｂ４は非方向依存的なぼやけ画像Ｂ４となる。
【００７９】
図１５（Ｂ）は、ぼやけに方向依存性がある場合のぼやけ画像Ｂ５を作成する際の画像処理を示す概念図である。この場合のぼやけ画像Ｂ５は、非点収差と屈折力エラーとによるぼやけを模したものである。
【００８０】
原画像Ｂｏを方向依存性（斜め４５度方向）を有する点像分布関数ＰＳＦ２により畳み込み積分すると、ぼやけ画像Ｂ５に示すように各点が斜め方向に向かってより強くぼやけた画像が得られる。以下では、ぼやけ画像Ｂ５を適宜、方向依存的なぼやけ画像Ｂ５と呼ぶ。方向依存的なぼやけ画像Ｂ５の方向依存性は、装用者の乱視軸の方向に基づいて定めてもよい。
なお、ぼやけ画像Ｂの作成方法は特に限定されず、対象物、眼鏡レンズおよび眼光学系からなる系に光線追跡法を用いることにより計算し、網膜に映るぼやけ画像Ｂを構築してもよい。
【００８１】
原画像Ｂｏは、どのような画像でもよい。例えば、風景、携帯電話、本、新聞、パソコン、タブレット端末、楽譜等、被験者が日常的に見る対象物の画像とすることができる。
【００８２】
表示制御部５１１（図３）は、異なる範囲のぼやけをそれぞれ備える複数のぼやけ画像Ｂを切り替えて表示画面５０１に表示する。被験者は、表示された異なる複数のぼやけ画像Ｂを視認し、快適に視認できるか、日常的に許容できるか等、ぼやけ画像Ｂを視認した印象を回答する。これらの回答を基に、被験者のぼやけ、特にぼやけの範囲に対する感受性が評価され、数値や級により表される。
なお、複数のぼやけ画像Ｂを動画として構成してもよい。
【００８３】
図１６は、ぼやけ画像Ｂにおける、ぼやけを有する範囲を説明するための図である。視野対応図Ｖ２は、眼鏡レンズの輪郭の中に、ぼやけ画像Ｂにおけるぼやけｂの位置を模式的に示している。表示制御部５１１は、左眼用画像５０１Ｌおよび右眼用画像５０１Ｒにおける、被験者が累進屈折力レンズを着用した際に、遠用部Ｆ以外に対応する位置、すなわち中間部、近用部および側方部等に対応する位置にぼやけｂを備えるぼやけ画像Ｂを表示する。遠用部Ｆに対応する領域は、他の部分よりもぼやけ度合が小さいか、ぼやけていない。
【００８４】
図１６に示す例では、累進屈折力レンズの装用者である被験者が、遠距離を見る際の、累進屈折力レンズの遠用部Ｆ以外の部分に対応する視野におけるぼやけに対する感受性を測定することを想定している。眼鏡レンズ装用者の中には、注視している部分以外の部分で発生しているぼやけに対して敏感な者と、それほど敏感でない者がおり、個人差がある。図１６を用いて説明されたぼやけ画像Ｂを装用者に提示するぼやけ感受性検査で得た情報は、このような個人差を考慮し、累進屈折力レンズの目標収差分布または／および目標度数分布の設定等に好適に用いられる。
【００８５】
同様に、表示制御部５１１は、左眼用画像５０１Ｌおよび右眼用画像５０１Ｒにおける、被験者が累進屈折力レンズを着用した場合の、中間部以外に対応する位置、すなわち遠用部、近用部および側方部等に対応する位置にぼやけｂを備えるぼやけ画像Ｂを表示することができる。この場合、中間部に対応する領域は、他の部分よりもぼやけ度合が小さいか、ぼやけていない。
【００８６】
同様に、表示制御部５１１は、左眼用画像５０１Ｌおよび右眼用画像５０１Ｒにおける、被験者が累進屈折力レンズを着用した場合の、近用部以外に対応する位置、すなわち遠用部、中間部および側方部等に対応する位置にぼやけｂを備えるぼやけ画像Ｂを表示することができる。この場合、近用部に対応する領域は、他の部分よりもぼやけ度合が小さいか、ぼやけていない。
【００８７】
図１７は、表示制御部５１１が、左眼用画像５０１Ｌおよび右眼用画像５０１Ｒにおいて、異なる範囲のぼやけを有する複数のぼやけ画像Ｂを表示することにより、被験者の視野における、ぼやけの範囲に対する感受性の測定を説明するための図である。複数のぼやけ画像Ｂのそれぞれは、互いにぼやけ度合が異なる複数の領域を備える。
【００８８】
図１７（Ａ）は、遠用部Ｆまたはその周辺においてぼやけの範囲が異なる３つのぼやけ画像Ｂの例を重ねて模式的に示したものである。３つのぼやけ画像Ｂは、近用部側すなわち眼鏡レンズの下部に、ぼやけｂを有する領域（以下、ぼやけ領域と呼ぶ）、遠用部側すなわち眼鏡レンズの上部に、ぼやけｂよりもぼやけ度合が小さいか、ぼやけていない領域（以下、非ぼやけ領域と呼ぶ）を備えている。３つのぼやけ画像Ｂはともに、ぼやけ領域は、非ぼやけ領域の下方に配置される。３つのぼやけ画像Ｂのぼやけ領域と、非ぼやけ領域との境界は、境界線Ｌ１，Ｌ２，Ｌ３によりそれぞれ定められている。図１７（Ａ）の例は、遠距離の対象物を見る際の、注視方向以外の方向におけるぼやけに対する感受性を評価する際に用いることができる。
【００８９】
図１７（Ｂ）は、中間部Ｃまたはその周辺においてぼやけの範囲が異なる３つのぼやけ画像Ｂの例を重ねて模式的に示したものである。３つのぼやけ画像Ｂは、眼鏡レンズの中間部Ｃの外側、すなわち眼鏡レンズの辺縁部等にぼやけ領域を備え、中間部Ｃに非ぼやけ領域を備えている。３つのぼやけ画像Ｂでは、非ぼやけ領域が、ぼやけ領域に囲まれて配置されている。３つのぼやけ画像Ｂのぼやけ領域と、非ぼやけ領域との境界は、境界線Ｌ１，Ｌ２，Ｌ３によりそれぞれ定められている。図１７（Ｂ）の例は、中間距離の対象物を見る際の、注視方向以外の方向におけるぼやけに対する感受性を評価する際に用いることができる。
【００９０】
図１７（Ｃ）は、近用部Ｎまたはその周辺においてぼやけの範囲が異なる３つのぼやけ画像Ｂの例を重ねて模式的に示したものである。３つのぼやけ画像Ｂは、遠用部側、すなわち眼鏡レンズの上部にぼやけ領域を備え、近用部側、すなわち眼鏡レンズの下部に非ぼやけ領域を備えている。３つのぼやけ画像Ｂはともに、ぼやけ領域は、非ぼやけ領域よりも上方に配置されている。３つのぼやけ画像Ｂのぼやけ領域と、非ぼやけ領域との境界は、境界線Ｌ１，Ｌ２，Ｌ３によりそれぞれ定められている。図１７（Ｃ）の例は、近距離の対象物を見る際の、注視方向以外の方向におけるぼやけに対する感受性を評価する際に用いることができる。
【００９１】
なお、被験者に表示する異なる範囲のぼやけを有するぼやけ画像Ｂの個数は、上述の図１７（Ａ），（Ｂ）および（Ｃ）で示された３つに限らず、任意の数としてよい。また、非ぼやけ領域は、遠用部、中間部、近用部等に限らず、適宜設計する眼鏡レンズの装用者が日常的によく見る方向に合わせる等して、眼鏡レンズの任意の位置、範囲としてもよい。
【００９２】
本実施形態の眼鏡レンズの設計方法では、ぼやけ感受性検査により得られた、被験者、すなわち設計する眼鏡レンズの装用者のぼやけ、特にぼやけの範囲に対する感受性に関する情報に基づいて、設計する眼鏡レンズの一または複数の点における目標収差分布または／および目標度数分布や、許容される収差の上限の値を設定することができる。特に非点収差について目標収差や、許容される収差の上限の値設定することが好ましい。
図１７を用いて説明されたぼやけ画像Ｂを装用者に提示するぼやけ感受性検査で得た情報は、累進屈折力レンズの遠用部、中間部または近用部等の所定の高さにおける、目標収差が所定の値以下となる左右方向の幅（図１２参照）の設定等に好適に用いられる。
なお、ぼやけ画像Ｂにおいて、例えば累進屈折力レンズの側方部等を模して、ぼやけ度合が連続的に変化するようにしてもよい。
【００９３】
眼鏡レンズの設計に係る眼鏡レンズ受発注システムについて説明する。本実施形態に係る眼鏡レンズ受発注システムは、上述したように装用者の視野におけるぼやけに対する感受性に応じて、収差等の光学特性が適切に設定された眼鏡レンズを提供することができる。本実施形態に係る眼鏡レンズ受発注システムの構成は、上述の実施形態における眼鏡レンズ受発注システム１０（図７）と同様の構成を備える。
【００９４】
眼鏡レンズを提供する手順については、基本的な流れは上述の実施形態における眼鏡レンズを提供する手順（図８）と同様である。しかし図８に示すフローチャートにおけるステップＳ１１、ステップＳ２２の内容およびステップＳ１２で入力される発注情報が異なるため、この点を以下に説明する。
【００９５】
図１８は、本実施形態における、ステップＳ１１（図８）の流れを示すフローチャートである。本実施形態では、眼鏡レンズ販売店またはその店員である発注者は、装用者を被験者としてぼやけ感受性検査を行い、装用者のぼやけに対する感受性に関する情報を取得する。
【００９６】
ステップＳ１１２１において、発注者は、装用者にＨＭＤ等の表示装置５０を着用させ、装用者の視野に表示画面５０１を配置する。ステップＳ１１２１が終了したら、ステップＳ１１２２に進む。
【００９７】
ステップＳ１１２２において、発注者は、異なる範囲のぼやけを備える複数のぼやけ画像Ｂを、表示画面５０１に順次表示して、装用者に視認させ、ぼやけ画像Ｂを視認した装用者の印象を取得する。発注者は、例えば、図１７（Ａ）で示された、ぼやけ領域と非ぼやけ領域との境界線がＬ３，Ｌ２，およびＬ１で示されるそれぞれのぼやけ画像Ｂを、この順に装用者に視認させる。装用者が各ぼやけ画像Ｂを視認した際に、発注者は装用者が当該ぼやけ画像Ｂが許容できるか否かを回答してもらい記録する。ステップＳ１１２２が終了したら、ステップＳ１１２３に進む。
なお、異なるぼやけ度合を有するぼやけ画像Ｂを提示する順番は特に限定されず、ぼやけに対する慣れが生じないように、装用者が十分許容可能な、ぼやけ範囲の小さいぼやけ画像Ｂを少なくとも数画像に一回の割合で提示するようにしてもよい。
【００９８】
ステップＳ１１２３において、発注者は、ぼやけ画像Ｂを視認した装用者の視野におけるぼやけ、特にぼやけの範囲に対する感受性を評価する。発注者は、ステップＳ１１２２で得られた、ぼやけ画像Ｂを視認した装用者からの回答に基づいて、装用者のぼやけに対する感受性を、予め定められた基準により数値に変換して記録する。例えば、上述のように図１７（Ａ）に関して説明されたぼやけ画像Ｂを、装用者に提示したとする。装用者が、境界線Ｌ２を有するぼやけ画像Ｂは許容できるが境界線Ｌ１を有するぼやけ画像Ｂは許容できないと回答した場合、Ｌ２またはＬ２に対応する数字または記号等を装用者のぼやけまたはぼやけの範囲に対する感受性を示すパラメータ（ぼやけ感受性パラメータ）として取得する。ステップＳ１１２３が終了したら、ステップＳ１２（図８）に進む。
【００９９】
ステップＳ１２において、発注者は、ステップＳ１１２３において取得した、ぼやけ感受性パラメータ等の、装用者の視野におけるぼやけ、特にぼやけの範囲に対する感受性に関する情報を含む、眼鏡レンズの発注情報を決定する。そして、発注者は、発注装置１の表示部１４に発注画面を表示させ、入力部１５を介して発注情報を入力する。
【０１００】
図１９は、発注画面の一例を示す図である。本実施形態の発注画面１００ｂは、上述の実施形態における発注画面１００ａと同様の構成を有しているが、感受性情報項目（１０６ｂ）が上述の実施形態の発注画面とは異なる。感受性情報項目１０６ｂでは、ぼやけ感受性検査において、ぼやけ感受性パラメータ等の、装用者のぼやけ、特にぼやけの範囲に対する感受性の強さを示す数値を入力する。
【０１０１】
図１９の例では、ぼやけの範囲に対する感受性の強さを、遠用部Ｆを通して見る場合（図１７（Ａ））、中間部Ｃを通して見る場合（図１７（Ｂ））および近用部Ｎを通して見る場合（図１７（Ｃ））について、３段階の数値により表した（遠用部Ｆで「３」、中間部Ｃで「２」等）。図１９の例では、各数字１，２，３は、図１７（Ａ），（Ｂ）および（Ｃ）の境界線Ｌ１，Ｌ２，Ｌ３に対応しており、ぼやけの範囲を広くしていったときに、当該境界線に対応するぼやけ画像Ｂが、装用者の許容限界だったことを示している。
なお、ぼやけまたはぼやけの範囲に対する感受性の表し方は、当該感受性を、予め定められた基準に従って表し伝えることができれば特にその方法は制限されない。
【０１０２】
なお、発注画面１００ｂでは、装用者のぼやけに対する感受性の強さを示す数値に加え、またはその代わりに、設計する眼鏡レンズの非点収差が小さい範囲を示す指標等の設計パラメータを入力する構成にしてもよい。眼鏡レンズの非点収差が小さい範囲を示す指標としては、例えば、図１２中の破線または一点鎖線の矢印に示すような、累進屈折力レンズにおいて、遠用部または近用部の所定の高さにおいて、非点収差が所定の値以下となる左右方向の長さ等とすることができる。当該設計パラメータは、装用者が許容限界とするぼやけ領域と非ぼやけ領域との境界線の位置等に基づいて定めることができる。
【０１０３】
次に、ステップＳ２２（図８）において、受注装置２の設計部２１２（図３）が、受信した発注情報（発注画面１００ｂ参照）に基づいて眼鏡レンズの設計を行う点を説明する。
【０１０４】
図２０は、ステップＳ２２に対応する眼鏡レンズの設計の手順を示すフローチャートである。ステップＳ２２２１において、受注装置２は、眼鏡レンズの処方データと、装用者のぼやけ、特にぼやけの範囲に対する感受性に関する情報および／または上述の非点収差の小さい範囲を示す指標等の設計パラメータとを取得する。受注装置２は、適宜フレームの前傾角、そり角、角膜頂点間距離等のフィッティングパラメータ等も取得する。ステップＳ２２２１が終了したらステップＳ２２２２に進む。
【０１０５】
ステップＳ２２２２において、受注装置２の設計部２１２は、ステップＳ２２２１で取得した装用者のぼやけ、特にぼやけの範囲に対する感受性に関する情報および／または設計パラメータに基づいて眼鏡レンズの目標収差分布または／および目標度数分布を設定する。
【０１０６】
図２１は、装用者のぼやけの範囲に対する感受性に基づいた目標収差の設定の例を示す概念図である。図中央に２つの収差分布図を示し、図の最も右側の部分には、収差分布図で収差の大きさを表すために用いられたパターンに対応する収差の大きさを示した。破線矢印および一点鎖線矢印の定義は図１２と同様である。
【０１０７】
図２１に示した収差分布図の中で、左側の収差分布図Ａ３は、ぼやけの範囲に対する感受性が弱い装用者のためのレンズを示す。このようなレンズでは、非点収差の小さい範囲は狭いが、非点収差の変化が小さいため、画像のぼやけの度合は小さい。右側の収差分布図Ａ４は、ぼやけの範囲に対する感受性が収差分布図Ａ３の場合よりも強い装用者のためのレンズを示す。このようなレンズでは、ぼやけの程度の変化は大きいものの、遠用部および近用部の非点収差の小さい範囲が収差分布図Ａ３の場合よりも広く設計されている。ステップＳ２２２２が終了したら、ステップＳ２２２３に進む。
【０１０８】
ステップＳ２２２３（図２０）において、受注装置２は、設定された目標収差分布または／および目標度数分布に基づいて、眼鏡レンズのレンズ全体の形状を決定する。ステップＳ２２２３が終了したら、ステップＳ２２２４に進む。ステップＳ２２２４において、受注装置２は、眼鏡レンズの屈折力、非点収差等の光学特性が所望の条件を満たすかを判定する。所望の条件を満たす場合、ステップＳ２２２４を肯定判定し、設計処理を終了し、ステップＳ２３（図８参照）に進む。所望の条件とは、装用者の感受性を反映しつつ、全ての処方を満たしている条件をいう。所望の条件を満たさない場合、ステップＳ２２２４を否定判定し、ステップＳ２２２３に戻る。
【０１０９】
上述の第２の実施形態によれば、第１の実施形態により得られる作用効果の他に、次の作用効果が得られる。
（１）本実施形態の眼鏡レンズの設計方法において、表示装置５０における画像の表示は、互いに異なる範囲のぼやけｂをそれぞれ備える複数のぼやけ画像Ｂを表示し、感受性の評価では、複数のぼやけ画像Ｂを視認した被験者の印象に基づいて被験者のぼやけに対する感受性を評価する。これにより、装用者のぼやけの範囲等に対する感受性に基づいて、装用者に合った眼鏡レンズを設計することができる。
【０１１０】
（２）本実施形態の眼鏡レンズの設計方法において、ぼやけ画像Ｂのそれぞれは、互いにぼやけ度合が異なる複数の領域、および／または、ぼやけ度合が連続的に変化するぼやけ、を備える。これにより、設計する眼鏡レンズの態様や様々な状況に合わせ、より正確に装用者のぼやけに対する感受性を測定することができる。
【０１１１】
（３）本実施形態の眼鏡レンズの設計方法において、表示装置５０における画像の表示は、ぼやけ度合が相対的に大きい領域を、ぼやけ度合が相対的に小さいか、ぼやけていない領域よりも下方に配置するように表示し、感受性の評価では、被験者が遠距離の対象物を見る際のぼやけに対する感受性を評価する。これにより、遠距離を見る際のぼやけに対する感受性に基づいて、装用者に合った累進屈折力レンズ等の眼鏡レンズを設計することができる。
【０１１２】
（４）本実施形態の眼鏡レンズの設計方法において、表示装置５０における画像の表示は、ぼやけ度合が相対的に大きい領域を、ぼやけ度合が相対的に小さいか、ぼやけていない領域よりも上方に配置するように表示し、感受性の評価では、被験者が近距離の対象物を見る際のぼやけに対する感受性を評価する。これにより、近距離を見る際のぼやけに対する感受性に基づいて、装用者に合った累進屈折力レンズ等の眼鏡レンズを設計することができる。
【０１１３】
（５）本実施形態の眼鏡レンズの設計方法において、表示装置５０における画像の表示は、ぼやけ度合が相対的に小さいか、ぼやけていない領域を、ぼやけ度合が相対的に大きい領域に囲まれるように表示し、感受性の評価では、被験者が中間距離の対象物を見る際のぼやけに対する感受性を評価する。これにより、中間距離を見る際のぼやけに対する感受性に基づいて、装用者に合った累進屈折力レンズ等の眼鏡レンズを設計することができる。
【０１１４】
次のような変形も本発明の範囲内であり、上述の実施形態と組み合わせることが可能である。
（変形例１）
上述の実施形態において、ぼやけの範囲が異なる複数のぼやけ画像Ｂを表示装置５０に表示する例を説明したが、さらに、ぼやけ度合を異ならせた複数のぼやけ画像Ｂを表示装置５０に表示する構成にしてもよい。例えば、ぼやけ度合を固定して、異なる複数のぼやけ画像Ｂを表示装置５０に表示し、その後、ぼやけ度合を変えて再び固定し、さらに異なる複数のぼやけ画像Ｂを表示装置５０に表示することができる。これにより、異なるぼやけ度合において、装用者のぼやけの範囲に対する感受性を測定するため、より精密に測定することができる。
なお、ぼやけの範囲を固定し、ぼやけ度合を変化させる等、適宜複数のぼやけ画像Ｂの構成を設定することができる。
【０１１５】
（変形例２）
上述の実施形態では、ぼやけ領域と非ぼやけ領域との境界線Ｌ１，Ｌ２およびＬ３において、ぼやけ度合が変化する構成にしたが、ぼやけ領域と非ぼやけ領域との間すなわちぼやけ領域の周辺で、ぼやけ度合が段階的または連続的に変化するようにしてもよい。
【０１１６】
図２２は、ぼやけ領域Ｒｂと非ぼやけ領域Ｒｏとの境界部において、ぼやけ度合が段階的に変化する場合のぼやけ画像Ｂを模式的に示す視野対応図である。ぼやけ度合は、非ぼやけ領域Ｒｏ、第１中間領域Ｒ１、第２中間領域Ｒ２、ぼやけ領域Ｒｂの順で高くなっている。このようにぼやけ領域Ｒｏと非ぼやけ領域Ｒｂとの境界を段階的または連続的に変化させることにより、累進屈折力レンズ等のぼやけの態様を模したぼやけ画像Ｂを表示することができ、実際に眼鏡レンズを装用する場合に近い状況でより正確にぼやけに対する感受性を測定することができる。
【０１１７】
−第３の実施形態−
第３の実施形態に係る表示装置５０および眼鏡レンズ受発注システム１０は、第１の実施形態に係る表示装置５０および眼鏡レンズ受発注システム１０と同様の構成を有しているが、表示装置５０が、被験者の視野の一部において位置が異なる複数の画像（以下、検査画像と呼ぶ）を切り替えて表示する点が、第１の実施形態とは異なっている。第１の実施形態との同一部分については第１の実施形態と同一の符号で参照し、場合に応じ説明を省略する。
【０１１８】
第２の実施形態の眼鏡レンズの設計方法では、設計する眼鏡レンズの装用者である被験者に、異なる位置にある検査画像を視認させ、近距離または中間距離等の予め定められた距離における視線方向に対する感受性を評価した情報を取得し、当該情報に基づいて眼鏡レンズを設計する。以下では、被験者の視線方向に対する感受性を評価するための検査を、視線方向感受性検査と呼ぶ。また、以下では、主に近距離、中間距離における視線方向の感受性を測定する例に基づいて説明するが、長距離について視線方向の感受性を測定してもよい。
【０１１９】
本実施形態で使用される検査画像は、特に限定されないが、予め定められた距離における視線方向に対する感受性を測定する場合には、当該距離で被験者が日常的に見る対象物の画像等とすることができる。
【０１２０】
検査画像は、近距離における視線方向に対する感受性を測定する場合には、被験者が日常的に近距離で見る対象物の画像として、携帯電話、本、新聞および雑誌等のいずれかから選択される少なくとも一つとすることができる。検査画像は、中間距離における視線方向に対する感受性を測定する場合には、被験者が日常的に中間距離で見る対象物の画像として、パソコン、タブレット端末および楽譜等のいずれかから選択される少なくとも一つとすることができる。
【０１２１】
表示制御部５１１（図３）は、近用部または中間部等における異なる位置に検査画像が配置された複数の表示画像を切り替えて表示画面５０１に表示する。被験者は、表示画面５０１に表示された異なる複数の表示画像を視認し、快適に視認できるか、日常的に許容できるかまたはいずれの位置に検査画像を表示する場合が見やすいか等、当該表示画像を視認した印象を回答する。これらの回答を基に、被験者の視線方向に対する感受性が評価され、数値や級により表される。
なお、複数の表示画像を動画として構成してもよい。
【０１２２】
図２３は、表示画像における、検査画像を配置する位置を示した視野対応図である。検査画像は、累進屈折力レンズの近用部Ｎにおける高さの異なる複数の位置Ｐ１，Ｐ２，Ｐ３およびＰ４にそれぞれ表示される。これにより、被験者が近距離にある対象物を見る際の目下げ量についての好みや快適性等を含む、被験者の視線の高さに対する感受性を評価することができる。
【０１２３】
図２４は、近用部Ｎにおける、図２３のＰ１（図２４（Ａ）），Ｐ２（図２４（Ｂ）），Ｐ３（図２４（Ｃ））およびＰ４（図２４（Ｄ））のそれぞれの位置に検査画像Ｔを配置した表示画像の例を模式的に示す図である。図２４の例では、検査画像Ｔとして、スマートフォンの画像を用いている。図中には、累進屈折力レンズおよびその側方部の輪郭が示されているが、検査画像Ｔが、眼鏡レンズの近用部の各位置Ｐ１〜Ｐ４に対応する表示画面５０１上の位置に示されていればこれらの輪郭は特に必要ではない。
【０１２４】
図２４（Ａ）〜（Ｄ）に関して説明された複数の表示画像を被験者に視認させて印象を回答してもらうことにより、被験者が普段スマートフォン等の対象物を見る際に、視野に対してどの位置に対象物を配置しているか等についての情報を取得することもできる。これにより、対象物を見やすいように眼鏡レンズを設計することが可能になる。
【０１２５】
なお、被験者に対して表示する、異なる位置に検査画像Ｔを有する表示画像の個数は、上述の図２４で示された４つに限らず、任意の数としてよい。
【０１２６】
本実施形態の眼鏡レンズの設計方法では、視線方向感受性検査により得られた、被験者、すなわち設計する眼鏡レンズの装用者の視線方向、特に視線の高さに対する感受性に関する情報に基づいて、設計する眼鏡レンズの一または複数の点における目標収差分布または／および目標度数分布や、許容される収差の上限の値を設定することができる。特に非点収差について目標収差や、許容される収差の上限の値設定することが好ましい。
【０１２７】
眼鏡レンズの設計に係る眼鏡レンズ受発注システムについて説明する。本実施形態に係る眼鏡レンズ受発注システムは、上述したように装用者の視線方向に対する感受性に基づいて、収差等の光学特性が適切に設定された眼鏡レンズを提供することができる。本実施形態に係る眼鏡レンズ受発注システムの構成は、上述の実施形態における眼鏡レンズ受発注システム１０（図７）と同様の構成を備える。
【０１２８】
眼鏡レンズを提供する手順については、基本的な流れは上述の実施形態における眼鏡レンズを提供する手順（図８）と同様である。しかし図８に示すフローチャートにおけるステップＳ１１、ステップＳ２２の内容およびステップＳ１２で入力される発注情報が異なるため、この点を以下に説明する。
【０１２９】
図２５は、本実施形態における、ステップＳ１１（図８）の流れを示すフローチャートである。本実施形態では、眼鏡レンズ販売店またはその店員である発注者は、装用者を被験者として視線方向感受性検査を行い、装用者の視線方向に対する感受性に関する情報を取得する。
【０１３０】
ステップＳ１１３１において、発注者は、装用者にＨＭＤ等の表示装置５０を装着させ、装用者の視野に表示画面５０１を配置する。ステップＳ１１３１が終了したら、ステップＳ１１３２に進む。
【０１３１】
ステップＳ１１３２において、表示装置５０に、眼の高さと表示画像の位置との位置関係とを調節するためのキャリブレーション画像を表示し、装用者の眼の高さと表示画像の位置との調整が行われる。表示装置５０は、左眼用画像５０１Ｌと右眼用画像５０１Ｒにおけるフィッティングポイントに対応する位置にマークを表示し、装用者がまっすぐ前方を見た際に当該マークが視線の通過位置になるように、装用者はＨＭＤの着用位置を調節する。
【０１３２】
ステップＳ１１３３において、発注者は、異なる位置に検査画像Ｔが配置された複数の表示画像を表示し、検査画像Ｔを視認した装用者の印象を取得する。発注者は、例えば、図２４（Ａ），（Ｂ），（Ｃ）および（Ｄ）で説明された各表示画像を、この順に装用者に視認させる。装用者が全ての表示画像を視認した後、または各表示画像を視認した後に、発注者は装用者がどの位置に検査画像Ｔがある場合に最も見やすかったかや、各表示画像が許容できるか否か等を回答してもらい記録する。ステップＳ１１３３が終了したら、ステップＳ１１３４に進む。
なお、異なる位置に検査画像Ｔを有する表示画像を提示する順番は特に限定されない。
【０１３３】
ステップＳ１１３４において、発注者は、検査画像Ｔを有する表示画像を視認した装用者の視野における視線方向、特に視線の高さに対する感受性を評価する。発注者は、ステップＳ１１３３で得られた、検査画像Ｔを視認した装用者からの回答に基づいて、装用者の視線方向に対する感受性を、予め定められた基準により数値に変換して記録する。例えば、上述のように図２４に関して説明された複数の表示画像を、装用者に提示したとする。装用者が、図２４（Ｂ）で説明された検査画像Ｔの位置Ｐ２が最も見やすいと回答した場合、Ｐ２またはＰ２に対応する数字または記号等を装用者の視線方向または視線の高さに対する感受性を示すパラメータ（視線方向感受性パラメータ）として取得する。ステップＳ１１３４が終了したら、ステップＳ１２（図８）に進む。
【０１３４】
ステップＳ１２において、発注者は、ステップＳ１１３４において取得した、視線方向感受性パラメータ等の、装用者の視野における視線方向、特に視線の高さに対する感受性に関する情報を含む、眼鏡レンズの発注情報を決定する。そして、発注者は、発注装置１の表示部１４に発注画面を表示させ、入力部１５を介して発注情報を入力する。
【０１３５】
図２６は、発注画面の一例を示す図である。本実施形態の発注画面１００ｃは、第１の実施形態における発注画面１００ａと同様の構成を有しているが、感受性情報項目（１０６ｃ）が上述の実施形態の発注画面とは異なる。感受性情報項目１０６ｃでは、視線方向感受性検査において、視線方向感受性パラメータ等の、装用者の視線方向、特に視線の高さに対する感受性の強さを示す数値を入力する。
【０１３６】
図２６の例では、視線の高さに対する感受性の強さを、近用部と中間部とについて、４段階の数値により表した（近用部で「２」、中間部で「３」）。図２６の例では、各数字１，２，３および４は、図２３の検査画像Ｔが配置される位置Ｐ１，Ｐ２，Ｐ３およびＰ４にそれぞれ対応しており、検査画像Ｔの位置を変えていったときに、当該位置に配置された場合が、装用者が最も見やすかったことを示している。
なお、視線方向または視線の高さに対する感受性の表し方は、当該感受性を、予め定められた基準に従って表し伝えることができれば特にその方法は制限されない。
【０１３７】
なお、発注画面１００ｃでは、装用者の視線方向に対する感受性の強さを示す数値に加え、またはその代わりに、設計する眼鏡レンズにおいて、設計の基準となる位置の座標等の設計パラメータを入力する構成にしてもよい。例えば、装用者が最も見やすいと回答した場合の検査画像Ｔの位置（Ｐ１，Ｐ２，Ｐ３またはＰ４）を設計の基準となる位置とすることができる。
【０１３８】
次に、ステップＳ２２（図８）において、受注装置２の設計部２１２が、受信した発注情報（発注画面１００ｃ参照）に基づいて眼鏡レンズの設計を行う点を説明する。
【０１３９】
図２７は、ステップＳ２２に対応する眼鏡レンズの設計の手順を示すフローチャートである。ステップＳ２２３１において、受注装置２は、眼鏡レンズの処方データと、装用者の視線方向、特に視線の高さに対する感受性に関する情報および／または上述の設計の基準となる位置の座標等の設計パラメータとを取得する。受注装置２は、適宜フレームの前傾角、そり角、角膜頂点間距離等のフィッティングパラメータ等も取得する。ステップＳ２２３１が終了したらステップＳ２２３２に進む。
【０１４０】
ステップＳ２２３２において、受注装置２の設計部２１２は、ステップＳ２２３１で取得した装用者の視線方向、特に視線の高さの範囲に対する感受性に関する情報および／または設計パラメータに基づいて眼鏡レンズの目標収差分布または／および目標度数分布を設定する。設計部２１２は、例えば、設計パラメータで示された設計の基準となる位置の座標において、非点収差が特に小さくなるように目標収差分布または／および目標度数分布を設定する。ステップＳ２２３２が終了したら、ステップＳ２２３３に進む。
【０１４１】
ステップＳ２２３３において、受注装置２は、設定された目標収差分布または／および目標度数分布に基づいて、眼鏡レンズのレンズ全体の形状を決定する。ステップＳ２２３３が終了したら、ステップＳ２２３４に進む。ステップＳ２２３４において、受注装置２は、眼鏡レンズの屈折力、非点収差等の光学特性が所望の条件を満たすかを判定する。所望の条件を満たす場合、ステップＳ２２３４を肯定判定し、設計処理を終了し、ステップＳ２３（図８参照）に進む。所望の条件を満たさない場合、ステップＳ２２３４を否定判定し、ステップＳ２２３３に戻る。
【０１４２】
上述の第３の実施形態によれば、第１または第２の実施形態により得られる作用効果の他に、次の作用効果が得られる。
（１）本実施形態の設計方法は、表示装置５０での画像の表示は、被験者の視野の一部において位置が異なる複数の検査画像Ｔを切り替えて表示し、感受性の評価では、検査画像Ｔを視認した被験者の印象に基づいて被験者の予め定められた距離における視線方向に対する感受性を評価する。これにより、装用者の眼を基準とした所望の位置に画像を提示して正確に装用者の視線方向に関する感受性を測定することができ、当該感受性に基づいて装用者に合った眼鏡レンズを設計することができる。
【０１４３】
（２）本実施形態の設計方法において、表示装置５０での画像の表示は、それぞれ異なる高さに複数の検査画像Ｔを表示し、感受性の評価では、検査画像Ｔを視認した被験者の印象に基づいて被験者の定められた距離における視線の高さに対する感受性を評価する。これにより、正確に装用者の視線の高さに関する感受性を測定することができ、当該感受性に基づいて装用者に合った眼鏡レンズを設計することができる。
【０１４４】
（３）本実施形態の設計方法において、累進屈折力レンズの遠用部、近用部、および遠用部と近用部との間の中間部から選択されたいずれか一つの領域に対応する領域において、位置が異なる複数の検査画像Ｔを切り替えて表示し、選択されたいずれか一つの領域を通して見る距離での視線方向に対する感受性を評価する。これにより、遠距離、近距離および中間距離のそれぞれに関し、正確に装用者の視線方向に関する感受性を測定することができ、当該感受性に基づいて装用者に合った眼鏡レンズを設計することができる。
【０１４５】
（４）本実施形態の設計方法において、表示装置５０での画像の表示は、被験者の眼の高さと表示画像の位置との位置関係を調節するためのキャリブレーション画像を表示する。これにより、さらに正確に装用者の視線方向に関する感受性を測定することができる。
【０１４６】
（５）本実施形態の設計方法において、感受性の評価では、検査画像Ｔを視認した被験者の印象に基づいて被験者の近距離における視線方向に対する感受性を評価し、検査画像Ｔは、少なくとも携帯電話、本、新聞のいずれかから選択される少なくとも一つの画像である。これにより、近距離において被験者が日常的に見る対象物を利用して、より実際の状況に合わせて、正確に装用者の視線方向に関する感受性を測定することができる。
【０１４７】
（６）本実施形態の設計方法において、感受性の評価では、検査画像Ｔを視認した被験者の印象に基づいて被験者の中間距離における視線方向に対する感受性を評価し、検査画像Ｔは、少なくともパソコン、タブレット端末、楽譜のいずれかから選択される少なくとも一つの画像である。これにより、中間距離において被験者が日常的に見る対象物を利用して、より実際の状況に合わせて、正確に装用者の視線方向に関する感受性を測定することができる。
【０１４８】
次のような変形も本発明の範囲内であり、上述の実施形態と組み合わせることが可能である。
（変形例１）
上述の実施形態では、検査画像Ｔの表示位置は、予め定められた位置Ｐ１〜Ｐ４として説明した。しかし、対象物と、当該対象物を視認している被験者を撮像し、撮像した画像（以下、位置関係画像と呼ぶ）から、画像処理によって被験者の左眼および右眼に対する対象物の相対位置を算出し、左眼用画像５０１Ｌおよび右眼用画像５０１Ｒにおける、当該相対位置に対応する位置に対象物の画像を表示してもよい。
【０１４９】
例えば、被験者に普段と同じような姿勢で、スマートフォンを操作してもらう。スマートフォンを操作している間に被験者の眼部およびスマートフォンを撮像する。被験者の眼とスマートフォンとの相対位置を求めるために、複数の方向から被験者の眼部およびスマートフォンを撮像することが好ましい。撮像した位置関係画像から、被験者の眼とスマートフォンとの位置を三次元データとして算出し、表示画面５０１が配置される位置にスマートフォンの画像を射影して検査画像Ｔの画像データを構築することができる。
【０１５０】
このように、本変形例の設計方法では、被験者と対象物とを含む位置関係画像を撮像することを含み、表示装置５０に表示される検査画像Ｔの表示は、位置関係画像から求めた被験者と対象物との位置関係に基づいて設定した位置に、検査画像Ｔとして対象物の画像を表示する。これにより、装用者が対象物を見る際に取る姿勢を撮像し、撮像した位置関係画像に基づいて表示装置に検査画像Ｔを表示するため、装用者にとって好ましいと想定される画像を視認させることができ、より正確に装用者の視線方向に対する感受性を測定することができる。
【０１５１】
（変形例２）
上述の実施形態の表示装置５０に、さらに視線方向検出機能を備えさせ、視線方向感受性検査の際に同時に視線方向を検出してもよい。
【０１５２】
図２８は、視線方向検出器を備えた表示装置５０ｂを示す図である。図２８（Ａ）は、表示装置５０ｂの外観の斜視図である。図２８（Ｂ）は、表示装置５０ｂの内部構造を模式的に示すＢ−Ｂ断面図である。表示装置５０ａの本体５１は、上述の実施形態で示した構成に加え、赤外線放射部５７と、撮像部５８と、ハーフミラー５９とを備える。赤外線放射部５７と、撮像部５８と、ハーフミラー５９とは視線方向検出器を構成する。
【０１５３】
赤外線放射部５７は、赤外線を放射する。放射された赤外線はハーフミラー５９で反射され被験者の眼Ｅの眼部を照らし、角膜等から反射した赤外線は再びハーフミラー５９で反射され撮像部５８により受光される。撮像部５８は、撮像した画像から、瞳孔中心の座標や角膜反射の中心座標を求め、事前のキャリブレーション等で得られた当該座標と視線方向とを関連付ける式に基づいて、被験者の視線方向を算出することができる。ハーフミラー５９は可視光を透過するため、被験者が表示画面５０１の画像を見る際には妨げとならない。
【０１５４】
視線方向感受性検査において、装用者が表示装置５０ｂに表示される検査画像Ｔを見る際に、同時に視線方向の検出も行うことにより、対象物に対する装用者の視線方向の傾向等を示すデータを取得することができる。本変形例の眼鏡レンズの設計方法は、表示画像を視認した被験者の視線方向を検出することを含み、感受性の評価では、視線方向に基づいて被験者の感受性を評価する。これにより、視線方向のデータも合わせてより精密に装用者の視線方向に対する感受性を測定することができる。
【０１５５】
なお、上述した実施形態の設計方法では、主に累進屈折力レンズの目標収差分布または／および目標度数分布を設定する例で説明したが、この内容に限定する必要はない。単焦点レンズに関しても装用者の感受性に関する情報を用いて設計を行うことができる。特に、単焦点レンズの設計においては、装用者の感受性に関する情報に基づいて、レンズの周辺部における、球面度数からの屈折力のずれである球面度数エラーと非点収差との設定を行うことが好ましい。
【０１５６】
本発明は上記実施形態の内容に限定されるものではない。特に、上述の実施形態や変形例で示された事項は適宜組み合わせることができる。本発明の技術的思想の範囲内で考えられるその他の態様も本発明の範囲内に含まれる。
【０１５７】
次の優先権基礎出願の開示内容は引用文としてここに組み込まれる。
日本国特許出願２０１７年第１３０３０２号（２０１７年７月３日出願）
【符号の説明】
【０１５８】
１…発注装置、２…受注装置、１０…眼鏡レンズ受発注システム、１１…発注装置の制御部、１３…発注装置の通信部、２１…受注装置の制御部、２３…受注装置の通信部、５０，５０ａ，５０ｂ…表示装置、５６…結像レンズ、１００ａ，１００ｂ，１００ｃ…発注画面、１０６ａ，１０６ｂ，１０６ｃ…感受性情報項目、５００…携帯端末、５０１…表示画面、５０１Ｌ…左眼用画像、５０１Ｒ…右眼用画像、５１１…表示制御部、Ｂ，Ｂ１，Ｂ２，Ｂ３，Ｂ４，Ｂ５…ぼやけ画像、Ｂｏ，Ｙｏ…原画像、Ｃ…中間部、Ｆ…遠用部、Ｌａ１，Ｌａ２…側方部、Ｎ…近用部、Ｔ…検査画像、Ｕ…非側方部、Ｙ，Ｙ０ａ，Ｙ０ｂ，Ｙ４５ａ，Ｙ４５ｂ，Ｙ９０ａ，Ｙ９０ｂ，Ｙ１３５ａ，Ｙ１３５ｂ…ゆがみ画像。
【図１】
2019009034.tif 000003
【図２】
2019009034.tif 000004
【図３】
2019009034.tif 000005
【図４】
2019009034.tif 000006
【図５】
2019009034.tif 000007
【図６】
2019009034.tif 000008
【図７】
2019009034.tif 000009
【図８】
2019009034.tif 000010
【図９】
2019009034.tif 000011
【図１０】
2019009034.tif 000012
【図１１】
2019009034.tif 000013
【図１２】
2019009034.tif 000014
【図１３】
2019009034.tif 000015
【図１４】
2019009034.tif 000016
【図１５】
2019009034.tif 000017
【図１６】
2019009034.tif 000018
【図１７】
2019009034.tif 000019
【図１８】
2019009034.tif 000020
【図１９】
2019009034.tif 000021
【図２０】
2019009034.tif 000022
【図２１】
2019009034.tif 000023
【図２２】
2019009034.tif 000024
【図２３】
2019009034.tif 000025
【図２４】
2019009034.tif 000026
【図２５】
2019009034.tif 000027
【図２６】
2019009034.tif 000028
【図２７】
2019009034.tif 000029
【図２８】
2019009034.tif 000030
【国際調査報告】
2019009034.tif 000031
2019009034.tif 000032
2019009034.tif 000033
2019009034.tif 000034